(57)【要約】【課題】遊技場における適切な分煙化の実施を支援することが可能な遊技場用管理システムを提供する。【解決手段】遊技場用管理システムにおいて、喫煙島及び禁煙島のそれぞれについて、喫煙者及び非喫煙者の遊技状況を機種毎に把握することができるので、機種毎に喫煙者及び非喫煙者それぞれの割合に偏りがあるのか無いのかを分析することが可能となる。従って、例えば喫煙者がより多く好む機種があれば、禁煙島の設置台数を減らす一方、喫煙島の設置台数を増やすといった対応をすることができる。【選択図】図７
2018187255.tif 000002
【特許請求の範囲】
【請求項１】
遊技中の喫煙が許可された喫煙島と、遊技中の喫煙が禁止された禁煙島とが設けられた遊技場において、各遊技機の稼動状況を管理する遊技場用管理システムであって、
各遊技者の識別情報と対応付けて、当該遊技者が喫煙者及び非喫煙者の何れであるのかを特定可能な喫煙情報を記憶する喫煙情報記憶手段と、
各遊技機において遊技中の遊技者が喫煙者であるか非喫煙者であるかを前記契煙情報に基づいて判定する喫煙判定手段と、
前記喫煙島及び禁煙島のそれぞれについて、前記喫煙判定手段による判定結果に基づいて、喫煙者の数と非喫煙者の数とを遊技機の種類毎に区別して算出する算出手段と、を備えたことを特徴とする遊技場用管理システム。
【請求項２】
前記喫煙島における特定種類の遊技機について、非喫煙者の数又はその割合が所定の基準に達している場合、及び／又は、前記禁煙島における特定種類の遊技機について、喫煙者の数又はその割合が所定の基準に達している場合に報知する報知手段を備えたことを特徴とする請求項１に記載した遊技場用管理システム。
【請求項３】
各遊技機に対応して設けられ、遊技中の遊技者を撮像可能な撮像手段と、
この撮像手段により撮像した遊技者の画像に基づいて、当該遊技者が喫煙者であるか非喫煙者であるかを特定する喫煙特定手段と、を備えたことを特徴とする請求項１又は２に記載した遊技場用管理システム。
【発明の詳細な説明】
【技術分野】
【０００１】
本発明は、遊技場用管理システムに関する。
【背景技術】
【０００２】
従来、例えば特許文献１に記載されているように、分煙を実施している遊技場が増加しつつある。これは、受動喫煙の防止を推し進めようとする世相を反映したものであり、今後益々分煙化が強化されていくと予測されるところである。そのような事情の下、遊技場においても適切に分煙化を実施し、喫煙者及び非喫煙者の双方が快適に遊技できる環境を整備することが求められるところである。
【先行技術文献】
【特許文献】
【０００３】
【特許文献１】特許第４３１５９３９号公報
【発明の概要】
【発明が解決しようとする課題】
【０００４】
本発明は、上記した事情に鑑みてなされたもので、その目的は、遊技場における適切な分煙化の実施を支援することが可能な遊技場用管理システムを提供することにある。
【課題を解決するための手段】
【０００５】
請求項１の遊技場用管理システムによれば、喫煙島及び禁煙島のそれぞれについて、喫煙者及び非喫煙者の遊技状況を機種毎に把握することができるので、機種毎に喫煙者及び非喫煙者それぞれの割合に偏りがあるのか無いのかを分析することが可能となる。従って、例えば喫煙者がより多く好む機種があれば、禁煙島の設置台数を減らす一方、喫煙島の設置台数を増やすといった対応をすることができる。
【図面の簡単な説明】
【０００６】
【図１】本発明の一実施形態を示す全体構成図
【図２】遊技機と計数貸出ユニットの正面図
【図３】計数貸出ユニットを中心に表す機能ブロック図
【図４】遊技情報表示装置の正面図
【図５】遊技情報表示装置を中心に表す機能ブロック図
【図６】管理装置で管理される会員属性データの説明図
【図７】遊技機別遊技者履歴データの説明図
【図８】機種別遊技者データの説明図
【図９】喫煙に関する判定と算出に係る処理の流れを示すフローチャート
【発明を実施するための形態】
【０００７】
以下、本発明の一実施形態について図面を参照して説明する。図１は、遊技場用管理システムの全体構成を概略的に示している。遊技場内には、多数の遊技機１が設置されており、各遊技機１に対応して計数貸出ユニット２及び遊技情報表示装置３がそれぞれ付設されている。遊技機１、計数貸出ユニット２及び遊技情報表示装置３は、２台ずつ中継装置４に接続されている。中継装置４は、ＬＡＮ５を介して管理装置６に接続されている。
【０００８】
また、遊技場内には、景品交換端末（以下、ＰＯＳ）７や精算装置８も設置されており、これらＰＯＳ７及び精算装置８もＬＡＮ５を介して管理装置６と接続されている。ＰＯＳ７は、付属するカード処理機７ａで一般カードや会員カード（図３に符号９，１０で示す）を読取って遊技価値（計数玉数・貯玉数）を特定し、その遊技価値に基づき景品交換処理を行う。精算装置８は、一般カード９又は会員カード１０がカード挿入口８ａに挿入されると、図示しないカードリーダライタでカード９，１０を読取って入金残高を特定し、その入金残高に対応する紙幣や硬貨を返却口８ｂから払い戻す返却処理を行う。
【０００９】
管理装置６は、遊技場内の例えば事務所等に設置されており、モニタ６ｍ、キーボード６ｋ等が接続されている。管理装置６は、遊技機１、計数貸出ユニット２、遊技情報表示装置３等、上記した各種機器から出力される遊技信号を入力することで、各種機器の稼働状況を管理する。
【００１０】
図１では図示を省略したが、同図のパチンコ機の他、所謂スロットマシンも含めて例えば数百台の遊技機１が管理装置６の管理対象となっており、遊技場内に形成された複数の遊技機島に、それら遊技機１側の機器が設置されている。また、遊技島としては、遊技中の喫煙が許可された喫煙島と、遊技中の喫煙が禁止された禁煙島とが区別して設けられ、遊技場内の一画に喫煙コーナー１００が設けられている。これら喫煙島、禁煙島、及び喫煙コーナー１００について詳しくは後述する。
【００１１】
図２に示すように、遊技機１はＣＲパチンコ機であり、盤面１１に玉を発射する発射装置を構成する操作ハンドル１２、上部受皿１３、下部受皿１４を有すると共に、盤面１１に、液晶表示部１５、始動口１６、大入賞口１７を有する。また、遊技機１における上部受皿１３の上面には、左右に並ぶ貸出ボタン１３ａと返却ボタン１３ｂを有する。
【００１２】
遊技者が操作ハンドル１２を操作すると、玉が盤面１１に発射され、その玉が始動口１６に入賞すると、その入賞に応じた数の玉を払出したり大当たり抽選を行ったりする。大当たり抽選では、液晶表示部１５において所謂特別図柄（特図）による図柄変動を実行し、停止表示された図柄が大当たり図柄の場合に大当たりが発生する。大当たりが発生すると、例えば１５ラウンド分だけ大入賞口１７を開放する。尚、遊技機１は、遊技者による遊技が進行することに応じて、打ち込んだ玉の玉数である投入媒体数を特定可能なアウト信号、払出された玉の数である払出媒体数を特定可能なセーフ信号、大当たり状態を特定可能な大当たり信号等の各種の遊技信号を出力する。
【００１３】
計数貸出ユニット２は、各遊技機１に対応して設けられ、所謂各台計数機能を備える。具体的には図２に示すように、計数貸出ユニット２は、現在の運用状態（例えば正常状態、エラー状態等）を示す状態表示部２１、紙幣が投入される紙幣投入口２２、カメラ２３（図２では前面のカメラ窓２３ａのみ図示）、遊技の進行に伴って図柄変動回数（スタート回数）や大当たり確率等の情報を表示するタッチパネル式の液晶表示部２４、１単位分（単位付与数）の玉を払い出すための払出ボタン２５、払出された玉が通過する払出ノズル２６、従業員が携帯するリモコンＲ（図３参照）からの信号を受信（受光）するリモコン受光部２７、一般カード９或いは会員カード１０が挿入されるカード挿入口２８、遊技機１の下部受皿１４の下方に位置する着脱可能な計数受皿２９等を備えている。
【００１４】
図３の機能ブロック図は、計数貸出ユニット２の構成を中心に示している。計数貸出ユニット２の制御部２０は、ＣＰＵ２０ａ、ＲＯＭ２０ｂ、ＲＡＭ２０ｃ、Ｉ／Ｏ２０ｄ等を有するマイクロコンピュータを主体に構成されている。制御部２０に接続された周辺部としては、上記した状態表示部２１、カメラ２３、液晶表示部２４、払出ボタン２５、リモコン受光部２７を含むと共に、管理装置６や遊技機１との間で各種信号や各種情報を送受信するＩ／Ｆ部２０ｅ、紙幣投入口２２に投入された紙幣の真贋を判定する紙幣処理部２２ａ、液晶表示部２４上に設けられたタッチパネル２４ａ、カード挿入口２８に挿入されたカード９，１０に記録されている各種情報を読取ったり、書込んだりするカードＲＷ（リーダライタ）２８ａ、最大１０枚の一般カード９をストック可能なカードストック部２８ｂ、払出ボタン２５が操作されたときに、１度数分の玉を払出ノズル２６から払い出す払出部２５ａ、計数受皿２９から流入する玉数を計数する計数部２９ａ等を含む。
【００１５】
一般カード９は、当日限り有効なカードであり、ＩＣチップ９ａが内蔵されている。ＩＣチップ９ａには、カードを特定可能な一般ＩＤが記録されているとともに、計数貸出ユニット２に入金された入金残高や持玉数が記録される。この一般カード９の持玉数は当日のみ有効で、入金残高は翌日以降も利用可能とされている。
【００１６】
会員カード１０は、予め設定されている有効期限（例えば３年間）まで有効なカードであり、ＩＣチップ１０ａが内蔵されている。ＩＣチップ１０ａには、会員登録を行った遊技者を特定可能な会員ＩＤが記録されているとともに入金残高が記録される。会員カード１０に対応する持玉数や貯玉数は管理装置６の会員口座に記憶される。この会員カード１０の持玉数、貯玉数、並びに入金残高は、翌日以降も利用可能とされている。
【００１７】
計数貸出ユニット２は、以下に示す機能を備えている。
（１）カード９，１０の未挿入状態で紙幣投入口２２から入金があったとき、カードストック部２８ｂに収納している一般カード９をカードＲＷ２８ａへ繰り出して、その入金金額（１０００円単位）を記憶するとともに、当該入金金額（入金残高）を液晶表示部２４に表示する。このとき、１度数（５００円）は、貸出単価が４円のパチンコ機では１２５玉、貸出単価が１円のパチンコ機では５００玉であるから、入金残高に相当する度数を液晶表示部２４に表示してもよい。
【００１８】
（２）遊技機１の貸出ボタン１３ａの操作に応じて入金残高の範囲内で１度数に相当する玉を遊技機１内部の払出機構から貸し出す貸出処理を行う。このとき、遊技機１から計数貸出ユニット２に１度数分の玉を払い出したことを示す信号が送信されるので、液晶表示部２４に表示されている入金残高から１度数分を減額するとともに、貸し出した玉数を示す貸出玉数を特定可能な売上信号を送信する。この売上信号は１度数分の玉を払い出す毎に１パルスが送信されるので、１パルスを５００円分の売上額として特定する。
【００１９】
（３）遊技機１の下部受皿１４から落下して計数受皿２９で受けられた玉が計数部２９ａに流入することで、遊技媒体（遊技価値）である玉を計数し、その計数した玉数である計数玉数を液晶表示部２４に表示する。
【００２０】
（４）払出ボタン２５の操作に応じて計数玉数（持玉数）又は貯玉数（会員遊技者の場合）の範囲内で１度数ずつ前記払出機構から払い出す。
（５）遊技機１の返却ボタン１３ｂの操作に応じて入金残高及び持玉数をカード挿入口２８に挿入されている一般カード９に記録して発行する。会員カード１０が挿入されている場合は、入金残高を会員カード１０に記録すると共に持玉数を管理装置６に送信してから会員カード１０を発行する。こうしたカード９，１０の発行（返却）処理を行う場合、係る発行情報を管理装置６へ送信し、管理装置６側にも記憶する。カード挿入口２８に何れのカード９，１０も挿入されていない場合は、カードストック部２８ｂにストックしている一般カード９を図示しない記録媒体移動手段によりカードＲＷ２８ａに繰出して入金残高及び持玉数を記録して発行する。また、入金残高及び持玉数が何れも「０」となった場合は、カードＲＷ２８ａにセットされた一般カード９を記録媒体移動手段によりカードストック部２８ｂに回収する。尚、一般カード９は、随時カード挿入口２８から補充することができ、最大１０枚までカードストック部２８ｂにストックされる。
【００２１】
（６）一般カード９がカード挿入口２８に挿入された場合は、一般カード９に記録されている入金残高及び持玉数をカードＲＷ２８ａにより読出して液晶表示部２４に表示する。会員カード１０が挿入された場合は、会員カード１０に記録されている入金残高を読出して液晶表示部２４に表示すると共に持玉数を管理装置６から受信して表示し、又、暗証番号の入力を条件として貯玉数を管理装置６から受信して表示する。
【００２２】
（７）リモコン受光部２７にてリモコンＲからの指令を受信し、指令内容に応じた各種処理（エラー解除処理や後述する喫煙情報の受付処理等）を実行する。
（８）対応する遊技機１で遊技する、着席した遊技者の顔を含む領域を、カメラ２３により例えば数秒毎に繰返し撮像する。カメラ２３は例えば、周知のＣＭＯＳセンサやＣＣＤセンサ等の撮像素子を含み、遊技中の遊技者を撮像可能な撮像手段として構成されている。
【００２３】
上記した計数貸出ユニット２の制御部２０（以下、適宜「計数貸出ユニット２」と略す）は、カメラ２３により撮像した遊技者を含む画像に基づいて、顔の特徴（顔の輪郭、目、鼻、口等）を抽出する画像処理等を行い、顔画像が存在するか否かを判定する。計数貸出ユニット２は、顔画像が存在すると判定すると、その顔画像を管理装置６に送信する。この顔画像は、カメラ２３により数秒毎に撮像された遊技者の顔の画像を含むため、当該遊技者が喫煙者である場合、タバコをくわえたときの顔画像つまり、タバコの画像が含まれうる。
【００２４】
図４は、遊技情報表示装置３の正面図を示している。遊技情報表示装置３は、遊技機１から入力される信号に基づき集計した遊技情報等の各種情報を表示する液晶表示部３１、ランプ部３２、呼出ボタン３３ａとリセットボタン３３ｂとメニューボタン３３ｃとを含む操作ボタン群３３、ＮＦＣ（Near field Communication）通信を行う近距離通信部３４等を備えている。呼出ボタン３３ａは、遊技者が遊技場の従業員を呼び出すための操作ボタンであり、リセットボタン３３ｂは、個人の遊技情報を初期化するための操作ボタンであり、メニューボタン３３ｃは、所定のメニューをポップアップ表示するための操作ボタンである。近距離通信部３４は、例えばＦｅｌｉＣａ（登録商標）機能付きの携帯電話機がタッチされた場合に当該携帯電話機からＩＤｍ（識別情報）を近距離通信で読取る。
【００２５】
図５の機能ブロック図は、遊技情報表示装置３の構成を中心に示している。遊技情報表示装置３の制御部３０は、ＣＰＵ３０ａ、ＲＯＭ３０ｂ、ＲＡＭ３０ｃ、Ｉ／Ｏ３０ｄ等を有するマイクロコンピュータを主体に構成されている。制御部３０には、管理装置６や遊技機１との間で各種信号や各種情報を送受信するＩ／Ｆ部３０ｅの他、上記した液晶表示部３１、ランプ部３２、操作ボタン群３３、近距離通信部３４が接続されると共に、管理装置６や遊技機１との間で各種信号や各種情報を送受信するＩ／Ｆ部３０ｅや、液晶表示部３１上に設けられたタッチパネル３１ａ、リモコン受光部３５等が接続されている。
【００２６】
詳しい図示は省略するが、管理装置６の制御部６０（以下、適宜「管理装置６」と略す）は、マイクロコンピュータを主体に構成され、ＲＯＭやＲＡＭといった記憶部６１や、Ｉ／Ｏ等を備えており、その記憶部６１に記憶された制御プログラムに従い動作する。管理装置６は、各遊技機１の稼動状況を管理する機能の他、上記した顔画像等に基づき遊技者が喫煙者であるか非喫煙者であるかを特定する喫煙特定手段としての機能を備えており、以下に説明する喫煙に関する管理データも管理する。
【００２７】
さて、遊技場では、その一画に喫煙コーナー１００（図１参照）を設けており、又、遊技島毎に遊技中の喫煙の許否を定めて分煙化を実施している。また、本実施形態の管理装置６は、自身の記憶部６１に各遊技者の識別情報と対応付けて、当該遊技者が喫煙者及び非喫煙者の何れであるのかを特定可能な喫煙情報を記憶して管理し、係る喫煙情報を活用した遊技場用管理システムの構築により、遊技場において適切な分煙化の実施を支援しうる構成としている。
【００２８】
係る遊技場用管理システムの具体的構成について、図６〜図８の喫煙に関するデータを参照しながら説明する。尚、図６〜図８の喫煙に関するデータは、管理装置６で管理されるデータであって、モニタ６ｍに表示出力されるが、図示しないプリンタでの印刷出力も可能である。
【００２９】
図６は、会員属性データの表の一部を示している。同図に示すように、会員属性データは、会員登録を行った遊技者の「氏名」「住所」「年齢」「職業」が、その遊技者の「会員No.（識別情報としての会員ＩＤ）」と対応付けて管理装置６の記憶部６１に記憶されている。また、会員属性データは、「会員No.」と対応付けた喫煙情報としての「喫煙有無」のデータを含む。こうした会員属性データは、予め会員登録を行うときに遊技者が記入した会員登録用紙（図示略）をもとに、管理装置６に対して入力される。
【００３０】
また、会員属性データのうち「喫煙有無」が会員登録用紙に記載されていなくても（自己申告が無くても）、カメラ２３で撮像した画像であって計数貸出ユニット２から送信される顔画像に基づき、「喫煙有無」を特定することができる。
【００３１】
即ち、管理装置６は、計数貸出ユニット２からカメラ２３で撮像した顔画像を受信すると、その顔画像に対して例えば特徴点の抽出等の画像処理を行い、その顔画像と、自身の記憶部６１に記憶されている顔画像データベースの顔画像とを照合し、それら顔画像が同一人物のものであるか否かを一致率に基づき判定する。また、管理装置６は喫煙特定手段として、顔画像の画像処理により、例えば当該顔画像の画素や特徴点の位置等からタバコの画像を含むと判定したとき、当該遊技者が喫煙者であることを特定する。これにより、管理装置６は、照合した顔画像が会員属性データに対応付けられた会員であって、当該遊技者を喫煙者として特定したとき「喫煙有無」の情報を「喫煙」として、該当する会員属性データを上書き記憶（更新）する。
【００３２】
このように、管理装置６は、遊技者の顔画像に基づき「喫煙有無」を自動的に判別できるため、例えば、「非喫煙」をデフォルトとして、所定条件を満たすとき（例えば１回でも当該顔画像にタバコの画像が含まれるとき）「喫煙」に変更し、或いは、「喫煙」が登録された遊技者についても、所定条件を満たすとき（例えば禁煙島での遊技割合と喫煙島での遊技割合との比較により）「非喫煙」に変更することができる。
【００３３】
また、管理装置６は例えば、遊技者が会員登録を行っていない非会員であり、又、新規の遊技者であっても、当該遊技者の顔画像を、未だ顔画像データベースに登録されていない顔画像であると判定して、顔画像データベースに登録する。それ故、非会員であっても（後述する図７の「非会員」参照）、顔画像データベースの顔画像（識別情報）と「喫煙有無」の情報と対応付けて、管理装置６の記憶部６１に記憶させることができる。
【００３４】
更に、「喫煙有無」については、遊技中の遊技者に対応する計数貸出ユニット２のリモコン受光部２７（遊技情報表示装置３のリモコン受光部３５でもよい）に対して、従業員のリモコンＲ操作により、喫煙情報を特定する信号を送信する。これにより、計数貸出ユニット２は、リモコン受光部２７で受付けた当該遊技者の喫煙情報を管理装置６に送信し、管理装置６は、受信した当該遊技者の喫煙情報を、その遊技者の顔画像と対応付けて管理する（記憶する）。
【００３５】
上記した管理装置６の記憶部６１は、喫煙情報を記憶する喫煙情報記憶手段に相当する。また、上記したタバコの画像を含む顔画像の取得や喫煙情報を特定するリモコンＲ信号の取得は、管理装置６において「喫煙有無」の判定契機のトリガーとなる。
【００３６】
図７（ａ）（ｂ）は、遊技機別遊技者履歴データの表の一部を示している。同図は、各遊技機１別に、遊技者の履歴を記憶したものであって、遊技機１の番号たる台番「１２３」及び「７８９」について、何れも喫煙島及び禁煙島の別と遊技機１の種類（機種）の別とを表す欄７０を設けている。また、台番「１２３」及び「７８９」について、遊技開始の「時刻」に対応付けて、遊技者の「会員／非会員」と「会員No.」を表す欄７１、並びに「喫煙有無」と「使用金額」を表す欄７２，７３を設けている。このうち、「喫煙島」、「禁煙島」並びに機種「ＡＡＡＡ」の欄７０については、これらの対応付けを管理装置６で予め登録しておくものとする。
【００３７】
「会員／非会員」及び「会員No.」の欄７１や「喫煙有無」の欄７２については、会員属性データや喫煙情報に基づき管理装置６により特定され、「使用金額」の各金額の欄７３については、前記売上信号に基づき管理装置６により特定される。尚、遊技開始の「時刻」（遊技者の交替の時刻）は、計数貸出ユニット２におけるカード９，１０の読取り時や、カメラ２３で撮像した顔画像の取得時、或いは、リモコンＲ操作により遊技開始時刻を特定する信号をリモコン受光部２７で受付けた時に特定されるが、詳しくは後述する。
【００３８】
これにより、図７の遊技機別遊技者履歴データは、喫煙島及び禁煙島のそれぞれにおける、該当する台番の遊技機１について、その機種と、遊技を開始した遊技者の会員に関する情報と、当該遊技者の喫煙情報と、使用金額とを履歴として把握することができる。
【００３９】
そして、管理装置６は算出手段として、図８に示すように喫煙島及び禁煙島のそれぞれについて、喫煙者の数（喫煙者数）と非喫煙者の数（非喫煙者数）とを遊技機１の機種毎に区別して算出するようになっている。同図に示すように、機種ＡＡＡＡとＢＢＢＢは、喫煙島に「２０」台ずつ且つ禁煙島に「１０」台ずつそれぞれ設置されているものとする。また、機種ＣＣＣＣは喫煙島にのみ「５」台設置され、機種ＤＤＤＤは禁煙島にのみ「５」台設置されているものとする。
【００４０】
図８に示すように、管理装置６では、上記した図７の履歴データの機種別の集計値として、各機種ＡＡＡＡ〜ＤＤＤＤについて、設置した喫煙島と禁煙島とに区分した上で、該当する機種で遊技した喫煙者数及び非喫煙者数を、会員（同図の(1)(2)）と非会員（同図の(3)(4)）とに分けて集計する。尚、(1)〜(4)は、図８の表で対応する列の欄、(10)〜(60)は、図８の表で対応する行の欄を表すものとする。
【００４１】
また、管理装置６は、喫煙島における特定種類の遊技機１（つまり機種ＡＡＡＡ、ＢＢＢＢ、ＣＣＣＣ）について、非喫煙者の割合が所定の基準に達している（例えば２０％を超えている）場合、及び、禁煙島における特定種類の遊技機１（つまり機種ＡＡＡＡ、ＢＢＢＢ、ＤＤＤＤ）について、喫煙者の割合が所定の基準に達している（例えば２０％を超えている）場合に、該当する非喫煙者数又は喫煙者数を表す表示領域を白黒反転した表示領域（図８の白抜き数字）で表す報知処理を実行する。
【００４２】
詳細には、図８では会員・非会員の別に非喫煙者の割合及び喫煙者の割合を求めており、例えば同図の(30)の欄における白抜き数字「１８」で表す会員非喫煙者数の割合は約２０．２％（＝１８／(７１＋１８)）、白抜き数字「４５」で表す一般非喫煙数の割合は約２１．０％（＝４５／(１６９＋４５)）というように、何れも２０．０％を超えている。
【００４３】
図８を全体的に考察すれば、機種ＢＢＢＢは、機種ＡＡＡＡに比して全体的に遊技者数が多く、喫煙島での非喫煙者による遊技並びに禁煙島での喫煙者による遊技が相当数あることが分かる。特に白抜き数字で報知されているように、喫煙島において非喫煙者であるにもかかわらず、その遊技が顕著に多く行われ、機種ＢＢＢＢについての禁煙島の設置数が不足していると考えられるため、その不足を補う禁煙島を設置する必要があることが分かる。
【００４４】
また、図８において、機種ＣＣＣＣは喫煙島にしか設置されておらず、遊技者もほぼ喫煙者であることが分かる。これに対し、機種ＤＤＤＤは禁煙島にしか設置されていないが、喫煙者の割合が２０％を超えているため、喫煙島にも設置するのが好ましいことが分かる。
【００４５】
ここで、図８の機種別遊技者データに関して算出可能なデータ（基礎データ）を以下に列挙する。
・全体遊技者数＝全ての遊技者数（(1)〜(4)の合計）
・全体喫煙者数＝全体遊技者数のうち喫煙遊技者数（(1)(3)の列の合計）
・全体非喫煙者数＝全体遊技者数のうち非喫煙遊技者数（(2)(4)の列の合計）
・喫煙島遊技者数＝喫煙島の遊技者数（(10)(30)(50)の行の合計）
・喫煙島喫煙者数＝喫煙島遊技者数のうち喫煙者数（(10)(30)(50)の行のうち(1)(3)の列に対応する喫煙者数の合計）
・喫煙島非喫煙者数＝喫煙島遊技者のうち非喫煙者数（(10)(30)(50)の行のうち(2)(4)の列に対応する非喫煙者数の合計）
・禁煙島遊技者数＝禁煙島の遊技者数（(20)(40)(60)の行の合計）
・禁煙島喫煙者数＝禁煙島遊技者数のうち喫煙者数（(20)(40)(60)の行のうち(1)(3)の列に対応する喫煙者数の合計）
・禁煙島非喫煙者数＝禁煙島遊技者のうち非喫煙者数（(20)(40)(60)の行のうち(2)(4)の列に対応する非喫煙者数の合計）
・機種別遊技者数＝機種別の遊技者数
・機種別喫煙者数＝機種別遊技者数のうち喫煙者数((1)(3)の列に対応する喫煙者数の機種別の合計)
・機種別非喫煙者数＝機種別遊技者のうち非喫煙者数((2)(4)の列に対応する非喫煙者数の機種別の合計)
・全体喫煙率＝全体喫煙者数／全体遊技者数
・喫煙島喫煙率＝喫煙島喫煙者数／喫煙島遊技者数
・禁煙島喫煙率＝禁煙島喫煙者数／禁煙島遊技者数
・機種別喫煙率＝機種別喫煙者数／機種別遊技者数
図９は、上記した遊技機別遊技者履歴データや機種別遊技者データを得るべく、或いは上記した喫煙者の割合や喫煙率等の各データの算出や報知を行うために、管理装置６により所定周期で実行される処理の例を表す。
【００４６】
管理装置６は、遊技場において遊技者が遊技を開始したか否かを判定し（Ｓ１）、何れのかの遊技機１で遊技者が遊技を開始したと判定すると（Ｓ１：ＹＥＳ）、全体遊技者数を加算（＋１）する（Ｓ２）。
【００４７】
具体的には、管理装置６は、計数貸出ユニット２でカード９，１０が挿入口２８に挿入されることに伴い送信される一般ＩＤや会員ＩＤといったカードＩＤに基づき、或いは紙幣が投入口２２に挿入される際に送信される顔画像に基づき、自身６の記憶部６１の履歴を照合することで、遊技者が遊技を開始したか否かを判定する（Ｓ１）。例えば、遊技者が遊技を中断した（休憩した）後に再開したような場合には、当日のカード利用履歴の照合（カードＩＤが前回と今回で一致するか否か）により、遊技者が遊技を開始していないと判定して（Ｓ１：ＮＯ）、この処理を終了する（リターンする）。
【００４８】
これに対して、管理装置６は、遊技者が遊技を開始したと判定して、全体遊技者数を加算すると（Ｓ１：ＹＥＳ、Ｓ２）、その加算に係る遊技者について、喫煙の有無を判定する（Ｓ３）。具体的には例えば、当該遊技者の会員ＩＤについて、会員属性データの「喫煙有無」を照合して、「喫煙」が対応付けられていれば喫煙者と判定し（Ｓ３：ＹＥＳ、Ｓ４）し、「非喫煙」が対応付けられていれば非喫煙者と判定する（Ｓ３：ＮＯ、Ｓ５）。こうして、管理装置６は喫煙判定手段として、各遊技機１において遊技中の遊技者が喫煙者であるか非喫煙者であるかを契煙情報に基づいて判定する。
【００４９】
また、管理装置６は算出手段として、ステップＳ４，Ｓ５での判定結果に基づき、その判定した喫煙者又は非喫煙者について、遊技機１の機種毎に区別し且つ喫煙島と禁煙島とに区分し且つ会員と非会員とに区分して加算（＋１）する（Ｓ６）。つまり、管理装置６は、全体遊技者数の集計（Ｓ２）を、喫煙者数と非喫煙者数とに分けた算出であって（Ｓ６）、機種別、喫煙島・禁煙島の別、会員・非会員の別に算出することにより、図８、図９の区分による履歴・集計データ（その表示用データを含む）を生成する。
【００５０】
そして、管理装置６は、喫煙島における遊技機１の何れかの機種で遊技する遊技者に占める非喫煙者の割合と、禁煙島における遊技機１の何れかの機種で遊技する遊技者に占める喫煙者の割合とについて、何れかの割合が２０％を超えたか否かを判定する（Ｓ７）。この場合の非喫煙者の割合と喫煙者の割合は、会員・非会員の別に区分（図８参照）した割合とすることなく、単に非喫煙者数（会員非喫煙者数及び一般非喫煙者数を合算した数）と、喫煙者数（会員喫煙者数及び一般喫煙者数を合算した数）として算出してもよい。
【００５１】
管理装置６は、非喫煙者の割合と喫煙者の割合とのうち、何れかの割合が２０％を超えたと判定すると（Ｓ７：ＹＥＳ）、上記した白黒反転した表示態様により報知して（Ｓ８）、この処理を終了する（リターンする）。
【００５２】
以上に説明したように本実施形態によれば、次のような効果を得ることができる。
管理装置６により、喫煙島及び禁煙島のそれぞれについて、喫煙者及び非喫煙者の遊技状況を遊技機１の機種毎に把握することができるので、遊技機１の機種毎に喫煙者及び非喫煙者それぞれの割合に偏りがあるのか無いのかを分析することが可能となる。従って、例えば喫煙者がより多く好む機種があれば、禁煙島の設置台数を減らす一方、喫煙島の設置台数を増やすといった対応をすることができる。
【００５３】
本発明は、上記した実施形態にのみ限定されるものではなく、以下のように変形又は拡張したり、各変形例を上記した実施形態と組み合せたり、各変形例を組み合わせたりしてもよい。
【００５４】
図９のフローチャートについて、例えばステップＳ１〜Ｓ６を遊技場の営業中にのみ実行するルーチンとし、ステップＳ７，Ｓ８を営業中以外でも実行しうる別のルーチンとして分けて処理を実行するようにしてもよい。
【００５５】
ステップＳ７，Ｓ８において、喫煙島における特定種類の遊技機１について、非喫煙者数が所定の基準に達している場合、及び／又は、禁煙島における特定種類の遊技機１について、喫煙者数が所定の基準に達している場合に報知するようにしてもよい。具体的には例えば、所定の基準として、予め喫煙島における非喫煙者の報知基準人数を当該喫煙島の前記機種の設置数に応じて設定し、又は、禁煙島における喫煙者の報知基準人数を当該禁煙島の前記機種の設置数に応じて設定しておき、当該非喫煙者数又は当該喫煙者数が対応する報知基準人数に達したときに報知してもよい。更に、上記した非喫煙者の割合と喫煙者の割合とについても、何れか一方の割合に対してのみ所定の基準を設定して、その基準に達した場合に報知しもよい。
【００５６】
ステップＳ８における報知態様は、上記したモニタ６ｍでの表示出力やプリンタでの印刷出力に限らず、音声により所定の基準に達した旨を報知する音声出力により報知するようにしてもよいし、管理装置６とは別の装置を報知手段として報知してもよい。
【００５７】
また、喫煙情報記憶手段は、管理装置６が内蔵する記憶部６１とは別の外部記憶装置で構成してもよい。遊技場用管理システムは、管理装置６や計数貸出ユニット２等を含む構成に限らず、喫煙判定手段や、算出手段、撮像手段、喫煙特定手段としてのそれぞれの機能を発揮しうる別の装置で構成してもよい。
【００５８】
例えば、遊技場用管理システムにおいて、計数貸出ユニット２は必須の構成ではなく、計数機能の無い貸出機（図示略）を遊技機１の側方に設置し、計数機を喫煙島や禁煙島のそれぞれの端部に（つまり島毎計数機として）設置してもよい。
【００５９】
遊技情報表示装置３に、喫煙者であるか非喫煙者であるかを遊技者が自ら申告するための操作手段を設けるようにしてもよい。係る操作手段としては、例えば操作ボタン群３３等を利用してもよい。その操作手段により申告により、当該遊技者の喫煙情報等を、管理装置６で管理される属性データとして登録することができる。
【００６０】
ここでの属性データは、会員属性データのように会員に限定することなく、申告された喫煙情報等を、例えば上記した顔画像や当該表示装置３の近距離通信部３４のＩＤｍ等の固有の識別情報と対応付けることができる。従って、操作手段により申告された喫煙情報等を、管理装置６が受信して管理することができ、遊技情報表示装置３の表示部３１を利用して表示することができる。それ故、遊技者は、自分が喫煙者であるのか非喫煙者であるのかを、自分の両隣で遊技しようとする他の遊技者に対して、表示部３１等で予め表示することができる。
【００６１】
喫煙に関して算出可能なデータは本実施形態に限定されず、上記した基礎データに基づいて、様々なデータを算出することが可能である。
遊技場内の一画に喫煙コーナー１００を設けるようにしたが、喫煙コーナー１００は無くてもよい。
【００６２】
遊技機１としてパチンコ機を例示したが、スロットマシンであってもよい。また、遊技媒体として玉を例示したが、メダルであってもよい。さらに、入賞に応じて実際の遊技媒体を払い出すタイプの遊技機１を例示したが、遊技媒体を払い出す代わりに得点を付与するタイプの遊技機であってもよい。
【００６３】
こうした、各種の遊技機について、喫煙島及び禁煙島それぞれにおける設置台数を喫煙者・非喫煙者の割合に応じて適宜設定することができる。
上記した各数値は例示であり、どのような数値を採用してもよいことは勿論である。
【符号の説明】
【００６４】
図面中、１は遊技機、２は計数貸出ユニット、６は管理装置、６ｍはモニタ（報知手段）、２３はカメラ（撮像手段）、６０は制御部（喫煙判定手段、算出手段、報知手段、喫煙特定手段）、６１は記憶部（喫煙情報記憶手段）である。
【図１】
2018187255.tif 000003
【図２】
2018187255.tif 000004
【図３】
2018187255.tif 000005
【図４】
2018187255.tif 000006
【図５】
2018187255.tif 000007
【図６】
2018187255.tif 000008
【図７】
2018187255.tif 000009
【図８】
2018187255.tif 000010
【図９】
2018187255.tif 000011